(57)【要約】      （修正有）【課題】ペットの排泄後（尿をした後）に長時間放置してもアンモニア臭により周辺環境が害されることを抑制できペットを世話する人の排泄処理に伴う負担を軽減できるペット用トイレを提供する。【解決手段】上部に排泄部が設けられた箱状体１であり、前記排泄部には砂材２０が配される砂受け部３が設けられ、この砂受け部３の底はメッシュ底部３ａとして設けられ、また、前記メッシュ底部３ａの下方位置には、上部開口部４ａを有し前記メッシュ底部３ａを通過して落下する尿を受ける尿受け容体４が設けられ、この尿受け容体４には籾殻炭Ｓを収納する尿受け袋体５が配されており、前記尿受け容体４の上部開口部４ａは、前記メッシュ底部３ａのメッシュ孔形成領域より広い開口面積に設定されたものである。【選択図】図３
2020096608.tif 000002
【特許請求の範囲】
【請求項１】
上部に排泄部が設けられた箱状体であり、前記排泄部には砂材が配される砂受け部が設けられ、この砂受け部の底はメッシュ底部として設けられ、また、前記メッシュ底部の下方位置には、上部開口部を有し前記メッシュ底部を通過して落下する尿を受ける尿受け容体が設けられ、この尿受け容体には籾殻炭を収納する尿受け袋体が配されており、前記尿受け容体の上部開口部は、前記メッシュ底部のメッシュ孔形成領域より広い開口面積に設定されていることを特徴とするペット用トイレ。
【請求項２】
請求項１記載のペット用トイレにおいて、前記尿受け容体は、前記箱状体の側面部に設けられた側面開口部から出し入れ自在に設けられていることを特徴とするペット用トイレ。
【請求項３】
請求項２記載のペット用トイレにおいて、前記箱状体には、前記側面開口部から収納した前記尿受け容体を位置決めする位置決め部が設けられ、この位置決め部は、平面視において前記メッシュ底部のメッシュ孔形成領域が前記尿受け容体の上部開口部内に配される位置で該尿受け容体を位置決めするように構成されていることを特徴とするペット用トイレ。
【請求項４】
請求項３記載のペット用トイレにおいて、前記位置決め部は、前記箱状体の底面部に設けられ、また、この位置決め部は、前記尿受け容体を前記側面開口部から前記箱状体内に摺動配設する際のガイド部及び前記尿受け容体に係止して摺動を阻止する摺動阻止部で構成されていることを特徴とするペット用トイレ。
【請求項５】
請求項２〜４いずれか１項に記載のペット用トイレにおいて、前記側面開口部を閉塞しペットが前記排泄部に昇降するための昇降用階段が設けられていることを特徴とするペット用トイレ。
【請求項６】
請求項１〜５いずれか１項に記載のペット用トイレにおいて、前記メッシュ孔形成領域は、前記メッシュ底部の中央部に設けられ、このメッシュ孔形成領域の周辺領域には該メッシュ孔形成領域へ向けて傾斜する傾斜部が設けられていることを特徴とするペット用トイレ。
【請求項７】
請求項１〜６いずれか１項に記載のペット用トイレにおいて、前記箱状体の下部には該箱状体の内部と外部とを通気する第一通気孔部が設けられ、また、前記箱状体の上部には該箱状体の内部と外部とを通気する第二通気孔部が設けられ、前記第一通気孔部及び前記第二通気孔部は、前記箱状体に設けた貫通孔にアミ部材を設けて構成されていることを特徴とするペット用トイレ。
【発明の詳細な説明】
【技術分野】
【０００１】
本発明は、ペット用トイレに関するものである。
【背景技術】
【０００２】
従来から、猫や犬などのためのペット用トイレとして特許第５７６８１９９号に開示されるようなペット用トイレ（以下、従来例）が提案されている。
【０００３】
この従来例は、箱状のトイレ本体の上部に排泄部が設けられ、この排泄部には砂材（通称：トイレ砂）が配される砂受け部が設けられ、この砂受け部の底はメッシュ底部として設けられ、また、メッシュ底部の下方位置には、メッシュ底部を通過した尿を受ける尿受け部を設けたものである。尚、尿受け部には尿吸収シートが配設されている。
【０００４】
従って、従来例において、ペットが排泄部上に乗り、砂材に糞と尿をすると、糞は砂材に載置され、一方、尿は砂材及びメッシュ底部を通過して尿受け部に落下し、該尿受け部の尿吸収シートで吸収保持される。
【先行技術文献】
【特許文献】
【０００５】
【特許文献１】特許第５７６８１９９号公報
【発明の概要】
【発明が解決しようとする課題】
【０００６】
ところで、尿を吸収した尿吸収シートは、そのまま放置しておくと、アンモニア臭が強くなる。
【０００７】
従って、従来例の場合、尿吸収シートを頻繁に取り替えなければならず、しかも、尿吸収シートで吸収された尿は、トイレ本体の内部と外部との温度差により蒸発しトイレ本体の内面に付着し、尿吸収シートを取り替えてもアンモニア臭がトイレ本体に残ってしまうという問題点もある。
【０００８】
本発明は、前述した問題点を解消する、従来にない作用効果を発揮するペット用トイレを提供する。
【課題を解決するための手段】
【０００９】
添付図面を参照して本発明の要旨を説明する。
【００１０】
上部に排泄部６が設けられた箱状体１であり、前記排泄部６には砂材20が配される砂受け部３が設けられ、この砂受け部３の底はメッシュ底部３ａとして設けられ、また、前記メッシュ底部３ａの下方位置には、上部開口部４ａを有し前記メッシュ底部３ａを通過して落下する尿を受ける尿受け容体４が設けられ、この尿受け容体４には籾殻炭Ｓを収納する尿受け袋体５が配されており、前記尿受け容体４の上部開口部４ａは、前記メッシュ底部３ａのメッシュ孔形成領域Ｍより広い開口面積に設定されていることを特徴とするペット用トイレに係るものである。
【００１１】
また、請求項１記載のペット用トイレにおいて、前記尿受け容体４は、前記箱状体１の側面部に設けられた側面開口部１ａ’から出し入れ自在に設けられていることを特徴とするペット用トイレに係るものである。
【００１２】
また、請求項２記載のペット用トイレにおいて、前記箱状体１には、前記側面開口部１ａ’から収納した前記尿受け容体４を位置決めする位置決め部２が設けられ、この位置決め部２は、平面視において前記メッシュ底部３ａのメッシュ孔形成領域Ｍが前記尿受け容体４の上部開口部４ａ内に配される位置で該尿受け容体４を位置決めするように構成されていることを特徴とするペット用トイレに係るものである。
【００１３】
また、請求項３記載のペット用トイレにおいて、前記位置決め部２は、前記箱状体１の底面部１ｂに設けられ、また、この位置決め部２は、前記尿受け容体４を前記側面開口部１ａ’から前記箱状体１内に摺動配設する際のガイド部２ａ及び前記尿受け容体４に係止して摺動を阻止する摺動阻止部２ｂで構成されていることを特徴とするペット用トイレに係るものである。
【００１４】
また、請求項２〜４いずれか１項に記載のペット用トイレにおいて、前記側面開口部１ａ’を閉塞しペットＣが前記排泄部６に昇降するための昇降用階段９が設けられていることを特徴とするペット用トイレに係るものである。
【００１５】
また、請求項１〜５いずれか１項に記載のペット用トイレにおいて、前記メッシュ孔形成領域Ｍは、前記メッシュ底部３ａの中央部に設けられ、このメッシュ孔形成領域Ｍの周辺領域には該メッシュ孔形成領域Ｍへ向けて傾斜する傾斜部３ｂが設けられていることを特徴とするペット用トイレに係るものである。
【００１６】
また、請求項１〜６いずれか１項に記載のペット用トイレにおいて、前記箱状体１の下部には該箱状体１の内部と外部とを通気する第一通気孔部７が設けられ、また、前記箱状体１の上部には該箱状体１の内部と外部とを通気する第二通気孔部８が設けられ、前記第一通気孔部７及び前記第二通気孔部８は、前記箱状体１に設けた貫通孔にアミ部材を設けて構成されていることを特徴とするペット用トイレに係るものである。
【発明の効果】
【００１７】
本発明は上述のように構成したから、前述した従来例に比し、例えばペットの排泄後（尿をした後）に長時間放置してもアンモニア臭により周辺環境が害されることを可及的に抑制でき、ひいてはペットを世話する人の排泄処理に伴う負担を軽減できるなど、従来にない作用効果を発揮する画期的なペット用トイレとなる。
【図面の簡単な説明】
【００１８】
【図１】本実施例を示す斜視図である。
【図２】本実施例を説明する分解斜視図である。
【図３】本実施例の要部を説明する断面図である。
【図４】本実施例の要部を説明する平面図である。
【図５】本実施例の要部を説明する斜視図である。
【図６】本実施例の使用状態説明図である。
【図７】本実施例の使用状態説明図である。
【図８】本実施例の要部を説明する斜視図である。
【発明を実施するための形態】
【００１９】
好適と考える本発明の実施形態を、図面に基づいて本発明の作用を示して簡単に説明する。
【００２０】
ペットＣは箱状体１の排泄部６に乗り上がり排泄する。糞は砂材20に載置され、尿は砂材20及びメッシュ底部３ａを通過して尿受け容体４に設けられる尿受け袋体５の籾殻炭Ｓに落下し、この籾殻炭Ｓに落下した尿は直ちに浸透して尿受け袋体５の底部に溜まる。
【００２１】
本発明者は、実際にペットＣが尿をした直後の尿受け容体４からアンモニア臭がほとんどしないことを確認している。
【００２２】
これは、籾殻炭Ｓの匂い吸着効果による。しかも、尿は時間の経過とともにアンモニア臭が強くなるところ（尿中の尿素がウレアーゼ（酵素）によって時間経過とともにアンモニアに生成される）、籾殻炭Ｓに落下した尿が該籾殻炭Ｓ同士の間を直ちに通過して尿受け袋体５の底部に溜まり、アンモニア臭が強くなる頃には既に籾殻炭Ｓの上層部が所謂蓋となってアンモニア臭の拡散を抑制しているからと考える。
【００２３】
また、メッシュ底部３ａから落下する尿が籾殻炭Ｓに到達する前に尿受け袋体５の露出する内面に付着し、そのまま放置された場合、この付着した尿からアンモニア臭が拡散してしまうが、この点、本発明は、尿受け容体４の上部開口部４ａは、平面視においてメッシュ底部３ａのメッシュ孔形成領域Ｍより広い開口面積に設定されている為、落下する尿が尿受け袋体５の露出する内面に付着することが可及的に防止される。
【実施例】
【００２４】
本発明の具体的な実施例について図面に基づいて説明する。
【００２５】
本実施例は、上部に排泄部６が設けられた箱状体であり、この箱状体１の下部には該箱状体１の内部と外部とを通気する第一通気孔部７が設けられ、また、前記箱状体１の上部には該箱状体１の内部と外部とを通気する第二通気孔部８が設けられ、前記排泄部６には砂材20が配される砂受け部３が設けられ、この砂受け部３の底はメッシュ底部３ａとして設けられ、また、前記メッシュ底部３ａの下方位置には、上部開口部４ａを有し前記メッシュ底部３ａを通過して落下する尿を受ける尿受け容体４が設けられ、この尿受け容体４には籾殻炭Ｓを収納する尿受け袋体５が配されており、前記尿受け容体４の上部開口部４ａは、前記メッシュ底部３ａのメッシュ孔形成領域Ｍより広い開口面積に設定されたものである。
【００２６】
具体的には、箱状体１は、図１，２に図示したように適宜な木製の部材で形成した所定高さを有する直方体形状の中空箱状体であり、正面部１ａ，底面部１ｂ，左右側面部１ｃ，背面部１ｄ及び天面部１ｅとで構成されている。尚、箱状体１は合成樹脂製でも金属製でも良い。
【００２７】
天面部１ｅには砂受け部３を有する排泄部６が設けられている。
【００２８】
この排泄部６は、天面部１ｅを正面部１ａ，左右側面部１ｃ及び背面部１ｄの上端部よりも低い位置となる陥没状に設けて構成されており、中央部位に方形状の貫通孔６ａが設けられ、この貫通孔６ａには砂受け部３が着脱自在に設けられている。
【００２９】
砂受け部３は、図１〜３に図示したように適宜な合成樹脂製の部材で形成した容体であり、底部には多数の孔３ａ’が設けられたメッシュ底部３ａが設けられ、このメッシュ底部３ａの周縁部に立ち上がり周壁部３ｃが設けられた構成である。
【００３０】
また、メッシュ底部３ａの中央部にはメッシュ孔形成領域Ｍが設けられ、このメッシュ孔形成領域Ｍの周辺領域には該メッシュ孔形成領域Ｍへ向けて傾斜する傾斜部３ｂが設けられている。
【００３１】
また、本実施例では、図４に図示したように後述する尿受け容体４の上部開口部４ａは、このメッシュ底部３ａのメッシュ孔形成領域Ｍより広い開口面積に設定されている。
【００３２】
また、箱状体１の正面部には側面開口部１ａが設けられており、この側面開口部１ａは、尿受け容体４を出し入れ自在に設ける部位である。
【００３３】
尿受け容体４は、図２，３，５に図示したように適宜な木製の部材で形成した平面視方形状の上部開口部４ａを有する直方体形状の箱状体である。
【００３４】
この尿受け容体４にはビニール製の尿受け袋体５が着脱自在に設けられ、尿受け容体４の上部開口部４ａに尿受け袋体５の開口部を内側から外側へ折り返し係止することで装着される。
【００３５】
この尿受け容体４は、側面開口部１ａから箱状体１内にして砂受け部３の下方位置に配され、メッシュ底部３ａを通過して落下する尿を受けることになる。
【００３６】
本実施例では、この尿受け袋体５には吸水性及び保水性の高い吸水樹脂Ｋと、この高分子吸収材の上層部に籾殻炭Ｓが収納される。
【００３７】
吸水樹脂Ｋとしては、例えば三洋化成株式会社製のサンフレッシュＳＴ−２５０（登録商標）・ＳＴ９００Ｅ／アクリル酸モノマー含有の樹脂／アクリル酸塩系（アクリル酸重合体部分ナトリウム塩架橋物の高吸水性樹脂）が採用されている。
【００３８】
籾殻炭Ｓとしては、本出願人が特開２０１１−６７８０９で提案する撥水性籾殻炭（籾殻炭のグラファイト含有量を、籾殻炭１ｇ当たり０．５１ｇ以上とし、含水率２０％以下としたもの）が採用されている。尚、場合によっては、本出願人が特許第５３６０７６９号で提案する親水性籾殻炭（籾殻炭のグラファイト含有量を、この籾殻炭１ｇ当たり０．５ｇ未満としたもの）を採用しても良い。
【００３９】
また、箱状体１には、側面開口部１ａ’から収納した尿受け容体４を位置決めする位置決め部２が設けられ、この位置決め部２は、平面視においてメッシュ底部３ａのメッシュ孔形成領域Ｍが尿受け容体４の上部開口部４ａ内に配される位置で該尿受け容体４を位置決めするように構成されている。
【００４０】
具体的には、箱状体１の底面部１ｂは、側面開口部１ａ’から尿受け容体４を摺動配設し得るように構成され、この底面部１ｂには、位置決め部２が設けられ、この位置決め部２は、尿受け容体４の摺動をガイドするガイド部２ａと、前記尿受け容体４に係止して摺動を阻止する摺動阻止部２ｂとで構成されている。
【００４１】
また、本実施例は、箱状体１の下部には該箱状体１の内部と外部とを通気する第一通気孔部７が設けられると共に、箱状体１の上部には該箱状体１の内部と外部とを通気する第二通気孔部８が設けられている。
【００４２】
第一通気孔部７は、図１〜３に図示したように左側面部１ｃの下方前方部位及び右側面部１ｃの下方後方部位に貫通孔７ａを設け、この貫通孔７ａ夫々にアミ部材７ｂを設けて構成され、一方、第二通気孔部８は、図１〜３に図示したように天面部１ｅの左側後方コーナー部位及び右側前方コーナー部位に貫通孔８ａを設け、この貫通孔８ａ夫々にアミ部材８ｂを設けて構成されている。
【００４３】
この第一通気孔部７及び第二通気孔部８を設けることで、ペットＣの尿が箱状体１の下方に落下することで箱状体１内には尿の温度と室内空気の温度差による温度差換気で上昇気流が生じ、箱状体１の下部に設けられた第一通気孔部７は吸気孔として機能して箱状体１の外部の空気は吸気され、一方、箱状体１の上部に設けられた第二通気孔部８は排気孔として機能して箱状体１の内部の空気は排気される。
【００４４】
また、本実施例は、側面開口部１ａ’を閉塞し前記ペットＣが前記排泄部６に昇降するための昇降用階段９が設けられている。
【００４５】
この昇降用階段９は、図１，２に図示したように適宜な木製の部材で形成されたものであり、箱状体１の側面開口部１ａ’を閉塞し得る大きさに設定されている。
【００４６】
この昇降用階段９により箱状体１の側面開口部１ａ’が閉塞されることで体裁が良いのは勿論、より一層周囲への匂いの拡散を抑制することができる。
【００４７】
本実施例は上述のように構成したから、ペットＣは箱状体１の排泄部６に乗り上がり、砂受け部３に設けられた砂材20で排泄する。糞は砂材20に載置され、尿は砂材20及びメッシュ底部３ａを通過して尿受け容体４に設けられる尿受け袋体５の籾殻炭Ｓに落下し、この籾殻炭Ｓに落下した尿は直ちに浸透して尿受け袋体５の底部に溜まる。この際、吸水樹脂Ｋは尿を吸って膨張しつつ尿を保持する（図７参照）。
【００４８】
この状態でペットＣが尿をした後の尿受け容体４に鼻を近づけて匂いを嗅いでも、アンモニア臭がほとんどしない。
【００４９】
これは、籾殻炭Ｓの匂い吸着効果による。しかも、尿は時間の経過とともにアンモニア臭が強くなるところ、籾殻炭Ｓに落下した尿が該籾殻炭Ｓ同士の間を直ちに通過して尿受け袋体５の底部に溜まり、アンモニア臭が強くなる頃には既に籾殻炭Ｓの上層部が所謂蓋となってアンモニア臭の拡散を抑制しているからと考える。
【００５０】
また、メッシュ底部３ａから落下する尿が籾殻炭Ｓに到達する前に尿受け袋体５の露出する内面に付着し、そのまま放置された場合、この付着した尿からアンモニア臭が拡散してしまうが、この点、本実施例は、尿受け容体４の上部開口部４ａは、平面視においてメッシュ底部３ａのメッシュ孔形成領域Ｍより広い開口面積に設定されている為、落下する尿が尿受け袋体５の露出する内面に付着することが可及的に防止される。
【００５１】
また、本実施例は、箱状体１の下部には該箱状体１の内部と外部とを通気する第一通気孔部７が設けられ、また、箱状体１の上部には該箱状体１の内部と外部とを通気する第二通気孔部８が設けられており、ペットＣの尿が箱状体１の下方に落下することで箱状体１内には上昇気流が生じ、箱状体１の下部に設けられた第一通気孔部７は吸気孔として機能して箱状体１の外部の空気は吸気され、一方、箱状体１の上部に設けられた第二通気孔部８は排気孔として機能して箱状体１の内部の空気は排気される（図６参照）。
【００５２】
従って、箱状体１の内部と外部との温度差が生じにくく、箱状体１の内部は尿の蒸発が抑制される環境となり、従って、箱状体１の内面に尿が付着することが防止され、よって、箱状体１にアンモニア臭が残ってしまうことが可及的に抑制される。
【００５３】
また、本実施例は、尿受け容体４は、箱状体１の側面部に設けられた側面開口部１ａ’から出し入れ自在に設けられているから、尿受け容体４への尿受け袋体５の着脱やペットＣの排泄後における砂受け部３の処理が簡易且つ良好に行えることになる。
【００５４】
また、本実施例は、箱状体１には、側面開口部１ａ’から収納した尿受け容体４を位置決めする位置決め部２が設けられ、この位置決め部２は、平面視においてメッシュ底部３ａのメッシュ孔形成領域Ｍが尿受け容体４の上部開口部４ａ内に配される位置で該尿受け容体４を位置決めするように構成されているから、尿受け容体４を最適な位置に簡易且つ確実に配置することができる。
【００５５】
また、本実施例は、位置決め部２は、箱状体１の底面部１ｂに設けられ、また、この位置決め部２は、尿受け容体４を側面開口部１ａ’から箱状体１内に摺動配設する際のガイド部２ａ及び尿受け容体４に係止して摺動を阻止する摺動阻止部２ｂで構成されているから、簡易構造で前述した作用効果を確実に奏することができる。
【００５６】
また、本実施例は、メッシュ孔形成領域Ｍはメッシュ底部３ａの中央部に設けられ、このメッシュ孔形成領域Ｍの周辺領域には該メッシュ孔形成領域Ｍへ向けて傾斜する傾斜部３ｂが設けられているから、この点においてもアンモニア臭により周辺環境が害されることを可及的に抑制できることになる。
【００５７】
また、本実施例は、側面開口部１ａ’を閉塞しペットＣが排泄部６に昇降するための昇降用階段９が設けられているから、この昇降用階段９により箱状体１の側面開口部１ａ’が閉塞されることで体裁が良いのは勿論、より一層周囲への匂いの拡散を抑制することができる。
【００５８】
尚、本発明は、本実施例に限られるものではなく、各構成要件の具体的構成は適宜設計し得るものである。
【符号の説明】
【００５９】
Ｃ  ペット
Ｍ  メッシュ孔形成領域
１  箱状体
１ａ’  側面開口部
１ｂ  底面部
２  位置決め部
２ａ  ガイド部
２ｂ  摺動阻止部
３  砂受け部
３ａ  メッシュ底部
３ｂ  傾斜部
４  尿受け容体
４ａ  上部開口部
５  尿受け袋体
６  排泄部
７  第一通気孔部
８  第二通気孔部
９  昇降用階段
20  砂材
【図１】
2020096608.tif 000003
【図２】
2020096608.tif 000004
【図３】
2020096608.tif 000005
【図４】
2020096608.tif 000006
【図５】
2020096608.tif 000007
【図６】
2020096608.tif 000008
【図７】
2020096608.tif 000009
【図８】
2020096608.tif 000010